(57)【要約】【課題】スキャナを備える媒体処理装置の搬送ジャムを低減させること。【解決手段】媒体処理装置１は、搬送路５に配置されたスキャナ６Ａ、６Ｂが搬送方向Ｙと直交する方向に対して傾斜し、媒体４の縁に対して傾斜するので、媒体４に加わる負荷が軽減される。搬送路５に沿って媒体４を搬送する搬送機構１０は、搬送方向Ｙに１列に配置される複数の主搬送ローラ１７ａ〜１７ｂと、主搬送ローラ１７ａ〜１７ｂに対して片寄せ基準面１５側に配置される追加搬送ローラ１８ａ、１８ｂを備える。追加搬送ローラ１８ａ、１８ｂは、スキャナ６Ａ、６Ｂを傾斜させたことによって生じたスペースに配置される。従って、搬送方向Ｙの位置が主搬送ローラ１７ａ〜１７ｂと異なる。よって、スキャナ６Ａ、６Ｂの位置を通過する際の搬送力の低下を少なくすることができ、媒体４の搬送ジャムを低減させることができる。【選択図】図２
2018052654.tif 000002
【特許請求の範囲】
【請求項１】
媒体を搬送して前記媒体から画像を読み取る媒体処理装置であって、
前記媒体を搬送路に沿って搬送する搬送機構と、前記画像を読み取るスキャナと、前記スキャナの読取り面に対向する媒体支持部材と、を有し、
前記スキャナは、前記搬送路に沿って搬送される前記媒体の縁に対して傾斜して配置されていることを特徴とする媒体処理装置。
【請求項２】
前記媒体は略矩形であり、
前記スキャナは、前記搬送機構による前記媒体の搬送方向と直交する方向に対して傾斜して配置されていることを特徴とする請求項１に記載の媒体処理装置。
【請求項３】
前記搬送機構は、前記媒体を搬送する搬送ローラを備え、
前記搬送ローラは、前記搬送方向と直交する方向に見た場合に、前記スキャナと重なる位置に配置されることを特徴とする請求項２に記載の媒体処理装置。
【請求項４】
前記搬送ローラは、
前記媒体の搬送方向に所定間隔で配置される複数の主搬送ローラと、
前記搬送方向の位置が前記主搬送ローラと異なり、且つ、前記搬送方向と直交する方向で前記主搬送ローラと異なる位置に配置された追加搬送ローラを備えることを特徴とする請求項３に記載の媒体処理装置。
【請求項５】
前記媒体は、前記搬送方向と直交する方向の一方側へ片寄せして搬送され、
前記追加搬送ローラは、前記主搬送ローラに対して前記媒体が片寄せされる側に配置されることを特徴とする請求項４に記載の媒体処理装置。
【請求項６】
前記媒体支持部材は、回転可能に保持されるローラであり、
前記ローラの回転軸線は、前記媒体の縁に対して前記スキャナと同一の傾斜角度で傾斜することを特徴とする請求項１から５の何れか一項に記載の媒体処理装置。
【請求項７】
前記ローラは、一列に配列された複数の分割ローラからなり、前記分割ローラの回転軸線は前記搬送方向と直交することを特徴とする請求項６に記載の媒体処理装置。
【請求項８】
前記スキャナは、前記搬送路に配置される前記媒体の一方の面に対向する位置、および、前記媒体の他方の面に対向する位置に配置されることを特徴とする請求項１から７の何れか一項に記載の媒体処理装置。
【請求項９】
前記媒体は小切手であることを特徴とする請求項１から８の何れか一項に記載の媒体処理装置。
【発明の詳細な説明】
【技術分野】
【０００１】
本発明は、シート状の媒体を搬送して媒体から画像を読み取る媒体処理装置に関する。
【背景技術】
【０００２】
特許文献１には、シート状の媒体を搬送路に沿って搬送して媒体から画像を読み取る媒体処理装置が開示されている。特許文献１の媒体処理装置は、媒体を搬送する搬送機構と、搬送面に設けられた開口に配置されるスキャナを備える。搬送機構は、搬送ローラと、搬送ローラを回転させる駆動モータと、搬送ローラに媒体を押し付けるパッドローラを備える。なお、本明細書において、画像とは、文字、図形、絵柄、写真などの媒体の表面に付すことのできる任意の像を含む。
【先行技術文献】
【特許文献】
【０００３】
【特許文献１】国際公開第２００８／１４９５２７号
【発明の概要】
【発明が解決しようとする課題】
【０００４】
特許文献１の媒体処理装置では、スキャナは搬送方向と直交する姿勢で配置される。スキャナは、搬送路を通過する媒体の幅全体をスキャンするために、搬送路の幅方向の全領域をカバーする長さを備える。このような構成では、スキャナが配置される開口の縁とスキャナとの継ぎ目に設けられた段差や隙間が搬送路の全幅にわたって搬送方向と直交する方向に延在する。従って、媒体が搬送されるとき、搬送面に形成された開口の縁とスキャナとの段差や隙間に媒体が引っ掛かり、搬送ジャムが発生するおそれがある。
【０００５】
また、搬送路の幅方向の全領域にわたってスキャナが配置されていると、スキャナの位置には搬送ローラを配置できない。従って、スキャナの位置を通過する際に搬送ローラによって媒体を搬送方向に引っ張る力が弱まるため、搬送ジャムが発生しやすいという問題点がある。
【０００６】
以上の問題に鑑みて、本発明の課題は、スキャナを備える媒体処理装置の搬送ジャムを低減させることにある。
【課題を解決するための手段】
【０００７】
上記課題を解決するために、本発明は、媒体を搬送して前記媒体から画像を読み取る媒体処理装置であって、前記媒体を搬送路に沿って搬送する搬送機構と、前記画像を読み取るスキャナと、前記スキャナの読取り面に対向する媒体支持部材と、を有し、前記スキャナは、前記搬送路に沿って搬送される前記媒体の縁に対して傾斜して配置されている。
【０００８】
本発明によれば、搬送される媒体の縁に対してスキャナが傾斜して配置されるため、スキャナの縁や、スキャナが配置される搬送面に設けられた開口の縁が媒体の縁に対して傾斜する。従って、搬送される媒体の縁が、スキャナの縁や、スキャナが配置される開口の縁に対して斜めに突入するので、媒体の縁が引っ掛かるおそれが少ない。よって、搬送される媒体に加わる負荷が軽減されるので、媒体の搬送ジャムを低減させることができる。
【０００９】
例えば、前記媒体が略矩形である場合に、前記スキャナは、前記搬送機構による前記媒体の搬送方向と直交する方向に対して傾斜して配置されていればよい。このような構成では、媒体の縁が搬送方向と直交する方向に延在する状態で媒体が搬送される。従って、ス
キャナの縁や、スキャナが配置される開口の縁に対して媒体の縁が引っ掛かるおそれが少ない。
【００１０】
本発明において、前記搬送機構は、前記媒体を搬送する搬送ローラを備え、前記搬送ローラは、前記搬送方向と直交する方向に見た場合に、前記スキャナと重なる位置に配置される。スキャナを傾斜させたことによって発生した空きスペースに搬送ローラを配置すると、搬送方向と直交する方向に見た場合にスキャナと重なる位置に搬送ローラが配置される。このようにすれば、媒体の端がスキャナを通過する際に、媒体の端に搬送力が加わる。また、搬送ローラの搬送方向の配置間隔を小さくすることができる。従って、スキャナの位置を通過する際の搬送力の低下を少なくすることができるので、安定した搬送を行うことはでき、媒体の搬送ジャムを低減させることができる。
【００１１】
本発明において、前記搬送ローラは、前記媒体の搬送方向に所定間隔で配置される複数の主搬送ローラと、前記搬送方向の位置が前記主搬送ローラと異なり、且つ、前記搬送方向と直交する方向で前記主搬送ローラと異なる位置に配置された追加搬送ローラを備えることが望ましい。このようにすると、主搬送ローラの搬送力が途切れる位置では追加搬送ローラの搬送力が媒体に加わる。従って、安定した搬送を行うことができ、媒体の搬送ジャムを低減させることができる。
【００１２】
本発明において、前記媒体は、前記搬送方向と直交する方向の一方側へ片寄せして搬送され、前記追加搬送ローラは、前記主搬送ローラに対して前記媒体が片寄せされる側に配置されることが望ましい。このようにすると、追加搬送ローラの搬送力を確実に媒体に加えることができる。従って、搬送力の低下を少なくすることができ、媒体の搬送ジャムを低減させることができる。
【００１３】
本発明において、前記媒体支持部材は、回転可能に保持されるローラであり、前記ローラの回転軸は、前記媒体の縁に対して前記スキャナと同一の傾斜角度で傾斜することが望ましい。このようにすると、ローラが配置される開口の縁に媒体が引っ掛かるおそれが少ない。従って、搬送される媒体に加わる負荷が軽減されるので、媒体の搬送ジャムを低減させることができる。
【００１４】
本発明において前記ローラは、一列に配列された複数の分割ローラからなり、前記分割ローラの回転軸線は前記搬送方向と直交することが望ましい。このようにすると、分割ローラから、媒体の進行方向を搬送方向に対して曲げるような力が加わることがない。従って、媒体の進行方向が搬送方向に対して曲げられるおそれが少ないので、媒体の搬送ジャムを低減させることができる。
【００１５】
本発明において、前記スキャナは、前記搬送路に配置される前記媒体の一方の面に対向する位置、および、前記媒体の他方の面に対向する位置に配置されることが望ましい。このようにすると、媒体の裏面と表面の画像を一度の搬送で読み取ることができる。
【００１６】
本発明において、前記媒体は小切手である。これにより、腰のない紙で形成された小切手であっても搬送ジャムを低減させることができる。
【発明の効果】
【００１７】
本発明によれば、搬送される媒体の縁に対してスキャナが傾斜して配置されるため、スキャナの縁や、スキャナが配置される搬送面に設けられた開口の縁が媒体の縁に対して傾斜する。従って、搬送される媒体の縁が、スキャナの縁や、スキャナが配置される開口の縁に対して斜めに突入するので、媒体の縁が引っ掛かるおそれが少ない。よって、搬送される媒体に加わる負荷が軽減されるので、媒体の搬送ジャムを低減させることができる。
【図面の簡単な説明】
【００１８】
【図１】本発明を適用した媒体処理装置の主要部を側方から見た説明図である。
【図２】図１の媒体処理装置における搬送路の平面図である。
【図３】パッドローラの支持構造を示す説明図である。
【図４】分割ローラの説明図である。
【図５】変形例のスキャナの配置を示す説明図である。
【発明を実施するための形態】
【００１９】
以下に、図面を参照して、本発明を適用した媒体処理装置の実施形態について説明する。本形態の媒体処理装置は、小切手、手形などの媒体から画像を読み取るとともに、磁気インクなどで媒体に付された磁気情報を読み取って処理する。
【００２０】
（全体構造）
図１は本発明を適用した媒体処理装置１の主要部を側方から見た説明図である。また、図２は図１の媒体処理装置１における搬送路５の平面図である。図１に示すように、媒体処理装置１の前面には媒体挿入口３が設けられる。媒体挿入口３の内側には、媒体４の挿入を検知する図示しない挿入検出センサが設けられる。また、媒体挿入口３の内側には、図示しないシャッター部材が設けられる。媒体挿入口３は、媒体処理装置１の内部に設けられた搬送路５と繋がっている。
【００２１】
媒体処理装置１は、媒体挿入口３から挿入されたシート状の媒体４を搬送路５に沿って搬送し、搬送路５に設けられたスキャナ６Ａ、６Ｂによって媒体４から画像を読み取る。スキャナ６Ａ、６Ｂの一方は、搬送路５を通過する媒体４の表側の面に対向し、表側の面から画像を読み取る。また、スキャナ６Ａ、６Ｂの他方は、媒体４の裏側の面に対向し、裏側の面から画像を読み取る。本形態では、スキャナ６Ａ、６Ｂとしてラインセンサが用いられる。また、搬送路５には磁気ヘッド７が設けられており、磁気ヘッド７によって媒体４から磁気情報を読み取る。
【００２２】
本明細書において、Ｘ、Ｙ、Ｚの３方向は互いに直交する方向である。Ｙ方向は搬送路５が延在する方向であり、媒体４の搬送方向と一致する。搬送方向Ｙの一方側と他方側のうち、搬送路５の奥へ向かう方向を後方Ｙ１、媒体挿入口３へ戻る方向を前方Ｙ２とする。また、Ｘ方向は搬送路５の幅方向であり、Ｚ方向は搬送路５の高さ方向である。媒体４は、紙幅方向が幅方向Ｘと一致する姿勢で、搬送路５に沿って後方Ｙ１へ搬送される。
【００２３】
媒体処理装置１の内部空間には、搬送路５の高さ方向Ｚの一方側に媒体ガイド部材８が配置され、搬送路５の高さ方向Ｚの他方側に媒体ガイド部材９が配置される。以下、媒体ガイド部材８が配置される側を下側Ｚ１とし、媒体ガイド部材９が配置される側を上側Ｚ２とする。媒体ガイド部材８は上側Ｚ２を向く搬送面８１を備える。また、媒体ガイド部材９は下側Ｚ１を向く搬送面９１を備える。搬送路５は、搬送面８１、９１の間に形成されている。
【００２４】
媒体処理装置１は、搬送路５に沿って媒体４を搬送する搬送機構１０を備える。搬送機構１０は、搬送面８１に設けられた開口（図示省略）に配置される搬送ローラ１１と、搬送面９１に設けられた開口（図示省略）に配置されるパッドローラ１２と、搬送ローラ１１を回転させる搬送モータ１３を備える。搬送ローラ１１およびパッドローラ１２は、回転軸線方向が幅方向Ｘと略一致するように配置され、媒体ガイド部材８、９によって回転可能に支持される。
【００２５】
搬送機構１０は、搬送路５の高さ方向Ｚに対向する搬送ローラ１１およびパッドローラ
１２の対を複数組備える。搬送モータ１３は、図示しない駆動力伝達機構を介して複数の搬送ローラ１１を同期して回転させる。駆動力伝達機構は、例えば、複数の搬送ローラ１１の回転軸に取り付けられたプーリにベルトを架け渡したベルト機構と、搬送モータ１３の出力軸の回転をプーリに伝達する歯車機構が用いられる。複数のパッドローラ１２のそれぞれは、図示しない付勢機構によって搬送ローラ１１側に付勢される。従って、媒体４は、パッドローラ１２によって搬送ローラ１１に押し付けられて搬送される。パッドローラ１２は、媒体４が搬送されるとき、搬送ローラ１１に従動して回転する。
【００２６】
搬送機構１０は、搬送路５の幅方向Ｘの一方側に媒体４を片寄せして搬送する。図２に示すように、搬送路５の幅方向Ｘの両側には、搬送ガイド１４が配置されている。媒体４は、搬送ガイド１４の間を通って搬送される。搬送路５の幅方向Ｘの一方側に配置される搬送ガイド１４は、搬送方向Ｙに延在する片寄せ基準面１５を備える。搬送機構１０は、媒体４の幅方向Ｘの一方側の端縁を片寄せ基準面１５に合わせる片寄せ動作を行う。片寄せ動作は、媒体４を搬送方向Ｙに所定回数（例えば、１回）往復搬送する動作である。
【００２７】
図３はパッドローラ１２の支持構造を示す説明図である。パッドローラ１２は、回転軸１６に固定されている。回転軸１６の片寄せ基準面１５側の端部１６ａは、媒体ガイド部材９に形成された軸受９３ａによって回転可能に支持される。また、回転軸１６の片寄せ基準面１５とは反対側の端部１６ｂは、媒体ガイド部材９に形成された軸受９３ｂによって回転可能に支持される。片寄せ基準面１５側の軸受９３ａの内径は、回転軸１６の端部１６ａの外径と略同一である。一方、片寄せ基準面１５側とは反対側の軸受９３ｂの内径は、片寄せ基準面１５側の軸受９３ａの内径よりも大きい。従って、パッドローラ１２は、媒体４が搬送されると、媒体４とパッドローラ１２との間に作用する摩擦力によって媒体４が移動する方向に傾く。つまり、媒体４が搬送されると、媒体４を片寄せ基準面１５側に寄せる方向にパッドローラ１２が傾く。従って、媒体４を搬送方向Ｙに所定回数（例えば、１回）往復搬送する動作を行うことにより、媒体４が片寄せ基準面１５側に片寄せされる。
【００２８】
図１に示すように、スキャナ６Ａは、媒体ガイド部材８に形成された凹部８２に配置される。凹部８２は、搬送面８１に形成された開口８２ａを備えており、この開口８２ａからスキャナ６Ａの読取り面６１Ａが搬送路５に露出する。一方、スキャナ６Ｂは、媒体ガイド部材９に形成された凹部９２に配置される。凹部９２は、搬送面９１に形成された開口９２ａを備えており、この開口９２ａからスキャナ６Ｂの読取り面６１Ｂが搬送路５に露出する。
【００２９】
スキャナ６Ａはスキャナ６Ｂの後方Ｙ１に位置する。スキャナ６Ａ、６Ｂは搬送方向Ｙに所定寸法離れて配置される。スキャナ６Ａの読取り面６１Ａは、搬送面９１に設けられた開口（図示省略）に配置されるブラシローラ６９Ａと対向する。また、スキャナ６Ｂの読取り面６１Ｂは、搬送面８１に設けられた開口（図示省略）に配置されるブラシローラ６９Ｂと対向する。ブラシローラ６９Ａ、６９Ｂは回転可能に支持されており、外周面には植毛が施されている。
【００３０】
スキャナ６Ａの読取り面６１Ａとブラシローラ６９Ａとの間、および、スキャナ６Ｂの読取り面６１Ｂとブラシローラ６９Ｂとの間には、媒体４の通過を許容する隙間が設けられている。ブラシローラ６９Ａ、６９Ｂは、読取り面６１Ａ、６１Ｂに沿って搬送される媒体４を支持する媒体支持部材として機能する。ブラシローラ６９Ａ、６９Ｂによって媒体４を支持することにより、腰の弱い媒体４でも搬送ジャムを発生しにくくすることができる。なお、ブラシローラとは異なる構成の媒体支持部材を用いることもできる。例えば、プラテンローラを用いることができる。あるいは、平面状のプラテン面を備えるプラテン部材を用いることもできる。
【００３１】
図２に示すように、スキャナ６Ａ、６Ｂは、搬送路５に沿って搬送される媒体４の縁に対して所定角度傾斜する姿勢で配置される。例えば、媒体４の外形が略矩形である場合には、媒体４の搬送方向前方の縁（本形態では、後方Ｙ１の縁）は幅方向Ｘに直線状に延在する。本形態では、このような場合を想定し、スキャナ６Ａ、６Ｂは、搬送方向Ｙと直交する方向（幅方向Ｘ）に対して所定角度傾斜する姿勢で配置される。媒体４の縁（本形態では、幅方向Ｘ）に対するスキャナ６Ａ、６Ｂの傾斜角度θは略同一である。また、ブラシローラ６９Ａ、６９Ｂの回転軸線は、媒体４の縁（本形態では、幅方向Ｘ）に対して、スキャナ６Ａ、６Ｂと同一の傾斜角度θで傾斜する。傾斜角度θは、例えば、２０°から３０°程度であるが、これ以外の角度であってもよい。スキャナ６Ａ、６Ｂの幅方向Ｘの配置領域は搬送路５の幅よりも大きい。スキャナ６Ａ、６Ｂの両端は、搬送ガイド１４に設けられた開口部１４ａに配置される。従って、スキャナ６Ａ、６Ｂは、搬送路５を通過する媒体４の幅全体に付された画像を読み取ることができる。
【００３２】
搬送ローラ１１は、搬送路５の幅方向Ｘの中央の近傍に配置される４個の主搬送ローラ１７ａ、１７ｂ、１７ｃ、１７ｄと、主搬送ローラ１７ａ〜１７ｄに対して媒体４が片寄せされる側（すなわち、片寄せ基準面１５が位置する側）に配置される２個の追加搬送ローラ１８ａ、１８ｂを備える。主搬送ローラ１７ａ〜１７ｄは、搬送方向Ｙに一定間隔で一列に配置されている。また、追加搬送ローラ１８ａ、１８ｂは、主搬送ローラ１７ａ〜１７ｄの配置間隔と同一の配置間隔で、搬送方向Ｙに一列に配置されている。追加搬送ローラ１８ａ、１８ｂは、スキャナ６Ａ、６Ｂを搬送方向Ｙと直交する方向に対して傾斜させたことによって生じたスペースに配置される。このため、追加搬送ローラ１８ａ、１８ｂは、主搬送ローラ１７ａ〜１７ｄと異なる位置で媒体４を搬送する。すなわち、追加搬送ローラ１８ａ、１８ｂは、搬送方向Ｙと直交する方向（幅方向Ｘ）の位置が主搬送ローラ１７ａ〜１７ｄと異なる。また。追加搬送ローラ１８ａ、１８ｂは、搬送方向Ｙの位置が主搬送ローラ１７ａ〜１７ｄとは異なる。
【００３３】
より詳しく述べると、上側のスキャナ６Ｂは、前方Ｙ２から後方Ｙ１へ向かって数えた場合に２番目の主搬送ローラ１７ｂと３番目の搬送ローラ１７ｃの間に配置されている。また、下側のスキャナ６Ａは、前方Ｙ２から後方Ｙ１へ向かって数えた場合に３番目の主搬送ローラ１７ｃと４番目の搬送ローラ１７ｄの間に配置されている。そして、追加搬送ローラ１８ａは、スキャナ６Ｂ、６Ａの間に配置され、追加搬送ローラ１８ｂは、スキャナ６Ａの後方Ｙ１に配置されている。
【００３４】
図２に示すように、搬送方向Ｙにおけるスキャナ６Ａの配置領域ＹＡは、３番目の主搬送ローラ１７ｃから４番目の主搬送ローラ１７ｄまでの範囲となっている。追加搬送ローラ１８ｂは、搬送方向Ｙと直交する方向（幅方向Ｘ）に見た場合に、スキャナ６Ａと重なる位置（すなわち、スキャナ６Ａの配置領域ＹＡ内）に配置されている。同様に、搬送方向Ｙにおけるスキャナ６Ｂの配置領域ＹＢは、２番目の主搬送ローラ１７ｂから３番目の主搬送ローラ１７ｃまでの範囲となっている。従って、追加搬送ローラ１８ａは、搬送方向Ｙと直交する方向（幅方向Ｘ）に見た場合に、スキャナ６Ｂと重なる位置（すなわち、スキャナ６Ｂの配置領域ＹＢ内）に配置されている。
【００３５】
（媒体処理動作）
媒体処理装置１は、媒体挿入口３に挿入された媒体４が挿入検出センサによって検出されると、搬送機構１０が駆動を開始する。媒体処理装置１は、搬送機構１０によって媒体４を後方Ｙ１へ搬送して、スキャナ６Ａ、６Ｂによって媒体４から画像を読み取る。また、磁気ヘッド７によって媒体４から磁気情報を読み取る。なお、磁気ヘッド７によって媒体４に磁気情報の書込みを行うこともできる。
【００３６】
搬送方向Ｙに対して傾斜しているスキャナ６Ａ、６Ｂで画像を読み取った読み取りデータは、スキャナ６Ａ、６Ｂの傾斜方向と同じ方向に画像が歪んでいる。従って、媒体処理装置１の制御部は、スキャナ６Ａ、６Ｂで読み取った読み取りデータに所定の補正処理を行うことにより、歪みのない画像を取得する。媒体処理装置１の制御部は、読み取った画像および磁気情報を外部へ出力する。あるいは、読み取った画像および磁気情報に基づいて所定の処理を行う。
【００３７】
（本形態の主な効果）
以上のように、本形態の媒体処理装置１は、スキャナ６Ａ、６Ｂが搬送路５に沿って搬送される媒体４の縁に対して傾斜して配置される。具体的には、スキャナ６Ａ、６Ｂが搬送方向Ｙと直交する方向（幅方向Ｘ）に対して傾斜して配置されており、スキャナ６Ａ、６Ｂの縁や、スキャナ６Ａ、６Ｂが配置される搬送面８１、９１に設けられた開口８２ａ、９２ａの縁が搬送方向Ｙと直交する方向（幅方向Ｘ）に対して傾斜する。このような配置では、搬送される媒体４の縁が、スキャナ６Ａ、６Ｂの縁や、スキャナ６Ａ、６Ｂが配置される開口８２ａ、９２ａの縁に対して斜めに突入する。従って、搬送される媒体４の縁が搬送路５内でスキャナ６Ａ、６Ｂの縁や開口８２ａ、９２ａの縁に引っ掛かるおそれが少ない。よって、搬送される媒体４に加わる負荷が軽減されるので、媒体４の搬送ジャムを低減させることができる。
【００３８】
本形態の搬送機構１０は、搬送方向Ｙに１列に配置される複数の主搬送ローラ１７ａ〜１７ｂと、主搬送ローラ１７ａ〜１７ｂに対して片寄せ基準面１５側に配置される追加搬送ローラ１８ａ、１８ｂを備える。追加搬送ローラ１８ａ、１８ｂは、スキャナ６Ａ、６Ｂを傾斜させたことによって生じたスペースに配置される。従って、追加搬送ローラ１８ａ、１８ｂは、搬送方向Ｙの位置が主搬送ローラ１７ａ〜１７ｂと異なっており、搬送方向Ｙと直交する方向（幅方向Ｘ）に見た場合にスキャナ６Ａ、６Ｂと重なる位置に配置される。これにより、媒体４の端がスキャナ６Ａ、６Ｂを通過する際に、媒体４の端に追加搬送ローラ１８ａ、１８ｂの搬送力を加えることができる。すなわち、主搬送ローラ１７ａ〜１７ｂの搬送力が途切れる位置で、追加搬送ローラ１８ａ、１８ｂの搬送力を媒体４に加えることができる。また、このような配置により、搬送ローラ１１の搬送方向Ｙの配置間隔を小さくすることができる。従って、スキャナ６Ａ、６Ｂの位置を通過する際の搬送力の低下を少なくすることができ、安定した搬送を行うことができる。よって、媒体４の搬送ジャムを低減させることができる。
【００３９】
本形態では、媒体４は搬送方向Ｙと直交する方向の一方側へ片寄せして搬送され、追加搬送ローラ１８ａ、１８ｂは、主搬送ローラ１７ａ〜１７ｂに対して媒体４が片寄せされる側に配置される。これにより、追加搬送ローラ１８ａ、１８ｂの搬送力を確実に媒体４に加えることができる。従って、安定した搬送を行うことができ、媒体４の搬送ジャムを低減させることができる。
【００４０】
本形態では、スキャナ６Ａ、６Ｂと対向する位置にブラシローラ６９Ａ、６９Ｂが配置される。ブラシローラ６９Ａは、搬送方向Ｙと直交する方向に対してスキャナ６Ａ、６Ｂと同一の傾斜角度θで傾斜する。従って、ブラシローラ６９Ａ、６９Ｂが配置される搬送面８１、９１の開口の縁に媒体４が引っ掛かるおそれが少ないので、搬送される媒体４に加わる負荷が軽減される。よって、媒体４の搬送ジャムを低減させることができる。
【００４１】
（変形例）
（１）上記形態では、スキャナ６Ａ、６Ｂと対向する位置には、媒体４を支持する媒体支持部材として１本の長いブラシローラ６９Ａ、６９Ｂが設けられているが、直線状に延びる１本のブラシローラの代わりに、複数の分割ローラを１列に配列したものを媒体支持部材として用いることもできる。図４は分割ローラ１６９の説明図である。分割ローラ１６
９は、搬送方向Ｙに対して角度θをなす方向に１列に並んでいる。それぞれの分割ローラ１６９の回転軸線は、搬送方向Ｙと直交する方向を向いている。このようにすると、それぞれの分割ローラ１６９は媒体４を搬送方向Ｙに送ることができる。従って、回転軸線方向が搬送方向Ｙと直交する方向に対して傾いているローラを用いた場合のように、媒体４の進行方向を搬送方向Ｙに対して曲げるような力が加わることがない。従って、媒体４の進行方向が搬送方向Ｙに対して曲げられるおそれが少ないので、媒体４の搬送ジャムを低減させることができる。
【００４２】
（２）上記形態では、スキャナ６Ａ、６Ｂが同一の傾斜角度θで平行に配置されているが、傾斜角度は異なっていてもよいし、逆向きに傾斜していてもよい。図５は変形例のスキャナ６Ａ、６Ｂの配置を示す説明図である。変形例では、搬送方向Ｙと直交する方向（幅方向Ｘ）に対するスキャナ６Ａの傾斜角度θ１は、スキャナ６Ｂの傾斜角度θと異なっており、且つ、逆方向に傾斜している。このため、変形例では、追加搬送ローラ１８ｂがスキャナ６Ｂの後方Ｙ１ではなく前方Ｙ２に配置されている。このような配置であっても、上記形態と同様の作用効果を得ることができる。
【００４３】
（３）上記形態では、上側Ｚ２を向く搬送面８１に搬送ローラ１１が配置され、下側Ｚ１を向く搬送面９１にパッドローラ１２が配置されているが、搬送ローラ１１を搬送面９１に配置し、パッドローラ１２を搬送面８１に配置してもよい。また、本形態では、上下に対向する搬送ローラ１１とパッドローラ１２の対を複数備えているが、これら複数の対のうちの一部を、他の対と上下を逆にして配置することもできる。
【００４４】
（４）上記形態では、媒体４の搬送方向Ｙに対してスキャナ６Ａ、６Ｂを傾斜させて配置しているが、スキャナ６Ａ、６Ｂの配置方向は、媒体４の縁に対して傾斜する方向であればよい。媒体４の縁が媒体４の幅方向に延在する場合には、媒体４の幅方向に対してスキャナ６Ａ、６Ｂを傾斜させて配置すればよい。例えば、矩形の媒体４を傾けて搬送する場合には、媒体４の幅方向および媒体４の縁は媒体４の傾斜方向と一致するので、媒体４の傾斜方向に対してさらにスキャナ６Ａ、６Ｂを傾斜させることが望ましい。あるいは、媒体４が幅方向に対して傾斜する縁を持つ形状である場合には、この縁に対してスキャナ６Ａ、６Ｂを傾斜させて配置すればよい。
【符号の説明】
【００４５】
１…媒体処理装置、３…媒体挿入口、４…媒体、５…搬送路、６Ａ、６Ｂ…スキャナ、７…磁気ヘッド、８、９…媒体ガイド部材、１０…搬送機構、１１…搬送ローラ、１２…パッドローラ、１３…搬送モータ、１４…搬送ガイド、１４ａ…開口部、１５…基準面、１６…回転軸、１６ａ、１６ｂ…端部、１７ａ、１７ｂ、１７ｃ、１７ｄ…主搬送ローラ、１８ａ、１８ｂ…追加搬送ローラ、６１Ａ、６１Ｂ…読取り面、６９Ａ、６９Ｂ…ブラシローラ、８１…搬送面、８２…凹部、８２ａ…開口、９１…搬送面、９２…凹部、９２ａ…開口、９３ａ、９３ｂ…軸受、１６９…分割ローラ、Ｘ…幅方向、Ｙ…搬送方向、Ｙ１…後方、Ｙ２…前方、ＹＡ…配置領域、ＹＢ…配置領域、Ｚ…高さ方向、Ｚ１…下側、Ｚ２…上側、θ、θ１…傾斜角度
【図１】
2018052654.tif 000003
【図２】
2018052654.tif 000004
【図３】
2018052654.tif 000005
【図４】
2018052654.tif 000006
【図５】
2018052654.tif 000007